(57)【要約】【課題】原稿を読み取る画像読取装置において、詰まった原稿のジャム処理及び読取手段の清掃処理が容易に行うことができる画像読取装置を提供することを目的とするものである。【解決手段】複数の搬送ローラ及びガイドによって原稿を湾曲した搬送路に搬送する画像読取装置において、上部フレーム５１、第１中間フレーム５４及び第２中間フレーム５８に、それぞれ搬送ローラ又はガイドを装着して、回転軸５２、５５、５９を中心に回動させて原稿搬送路を開放した状態にする。こうすることで、原稿搬送路に原稿が詰まった場合でも容易にジャム処理をすることができ、また、読取手段の読取面に付着した汚れの清掃処理も簡単に行える。【選択図】　　　　図２
2004099240.tif 000002
【特許請求の範囲】
【請求項１】
原稿トレイと、該原稿トレイの下方に配置された原稿排出トレイと、基部フレームと、前記原稿トレイからＵ字状に湾曲して前記原稿排出トレイに至る原稿搬送路に複数の搬送ローラ及びガイドを用いて原稿を搬送する搬送手段と、前記基部フレームに回動可能に取り付けられ前記原稿搬送路の上部領域に配置された前記搬送ローラ又は前記ガイドを少なくとも１つ装着した上部フレームと、前記原稿搬送路に囲まれた中間部領域に配置された前記搬送ローラ又は前記ガイドを少なくとも１つ装着するとともにその１つの回転軸を中心に回動可能に取り付けられた中間フレームとを備え、前記上部フレームを回動することで前記原稿搬送路の上流側が開放されるとともに、前記中間フレームを回動することで前記原稿搬送路の下流側が開放されることを特徴とする画像読取装置。
【請求項２】
前記中間フレームには、前記原稿の片面を読み取る読取手段が装着されており、前記読取手段は、前記中間フレームが回動することにより前記基部フレームに設けられたプラテンから離間されることを特徴とする請求項１に記載の画像読取装置。
【請求項３】
前記上部フレームには、押圧部材が設けられており、前記押圧部材は、前記上部フレームが前記基部フレームに装着された閉鎖状態において前記中間フレームを下方に押圧することを特徴とする請求項１又は２に記載の画像読取装置。
【発明の詳細な説明】
【０００１】
【発明の属する技術分野】
本発明は、複写機、ファクシミリ装置などの画像形成装置に適用可能で、原稿を読取可能な画像読取装置に関する。
【０００２】
【従来の技術】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
シートスルータイプでは、例えば、特許文献１では、シート状の原稿を搬送させながらその画像を読み取る読取部を備えた画像形成装置において、原稿トレイ及びその下方に配置された原稿排出トレイを設け、両者の間においてＵ字状に湾曲した原稿搬送路を形成して、原稿を搬送する点が記載されている。そして、原稿搬送ユニットをスキャナ支持体に設けられた連結軸を中心として揺動可能に支持し、原稿搬送ユニットを上方に揺動することで、原稿搬送ユニットの下面に設けられた上ガイド面とスキャナ支持体の上面に設けられた下ガイド面とを開放するようにした点が記載されており、上ガイド面には第１読取部を、下ガイド面には第２読取部を設けた点が記載されている。
【０００４】
また、特許文献２には、自動原稿送り装置の一方の側に給紙トレイを設け、その反対側に排紙トレイを設けて、給紙トレイ及び排紙トレイの間に原稿搬送路を形成した点が記載されており、そして、原稿搬送路の両側にはそれぞれ原稿の上面及び下面を読み取る第１及び第２読取手段を配置した点が記載されている。
【０００５】
また、特許文献３には、上下のフレームの間に中間フレームを配置し、Ｕ字型の搬送路に沿わせて用紙を搬送する用紙搬送装置において、中間フレームを駆動軸を中心にして開閉可能に設け、中間フレームに配置された駆動ローラに駆動軸から駆動力を伝達するギア群を中間フレームに設けた点が記載されている。
【０００６】
【特許文献１】
特開平１０−１２６５６９号公報
【特許文献２】
特開平１−１９４６５８号公報
【特許文献３】
特開２００１−１４４３１号公報
【０００７】
【発明が解決しようとする課題】
特許文献２のように、自動原稿送り装置の両側に給紙トレイと排紙トレイを配置するタイプは、両トレイが両側に張り出してスペースを取るため、特許文献１のように、原稿トレイの下方に原稿排出トレイを配置するタイプが提案されている。しかしながら、原稿トレイの下方に原稿排出トレイを配置すると、原稿搬送路がＵ字状に湾曲した形状になり、原稿が詰まりやすくなるとともに、湾曲して搬送される途中に紙粉等の汚れが読取手段に付着しやすくなるデメリットがある。したがって、詰まった原稿のジャム処理及び読取手段の清掃処理を行う必要がある。
【０００８】
特許文献１では、原稿搬送ユニット全体を連結軸を中心に揺動させて、下ガイド面と上ガイド面との間を開放するようにしているので、こうした処理を行うことは可能であるが、原稿搬送ユニット全体を揺動すると、下ガイド面と上ガイド面にそれぞれ配置されて互いに対向する搬送ローラの位置がずれてくることがある。特に、読取手段の両側にある搬送ローラは、原稿の読取制御を行う際に原稿を決められた位置に定速で搬送することが要求される搬送ローラであって、こうした搬送ローラに位置ずれが生じることは、原稿の読取動作を行う上で問題となる。
【０００９】
特許文献３では、原稿搬送路が湾曲する大径駆動ローラの周囲部分について開放することができないため、湾曲部分に詰まった原稿の処理が難しい。
【００１０】
本発明は、従来の画像読取装置が有しているこうした難点を解決して、詰まった原稿のジャム処理及び読取手段の清掃処理が容易に行うことができる画像読取装置を提供することを目的とするものである。
【００１１】
【課題を解決するための手段】
本発明に係る画像読取装置は、原稿トレイと、該原稿トレイの下方に配置された原稿排出トレイと、基部フレームと、前記原稿トレイからＵ字状に湾曲して前記原稿排出トレイに至る原稿搬送路に複数の搬送ローラ及びガイドを用いて原稿を搬送する搬送手段と、前記基部フレームに回動可能に取り付けられ前記原稿搬送路の上部領域に配置された前記搬送ローラ又は前記ガイドを少なくとも１つ装着した上部フレームと、前記原稿搬送路に囲まれた中間部領域に配置された前記搬送ローラ又は前記ガイドを少なくとも１つ装着するとともにその１つの回転軸を中心に回動可能に取り付けられた中間フレームとを備え、前記上部フレームを回動することで前記原稿搬送路の上流側が開放されるとともに、前記中間フレームを回動することで前記原稿搬送路の下流側が開放されることを特徴とする。そして、前記中間フレームには、前記原稿の片面を読み取る読取手段が装着されており、前記読取手段は、前記中間フレームが回動することにより前記基部フレームに設けられたプラテンから離間されることを特徴とする。また、前記上部フレームには、押圧部材が設けられており、前記押圧部材は、前記上部フレームが前記基部フレームに装着された閉鎖状態において前記中間フレームを下方に押圧することを特徴とする。
【００１２】
上記のような構成を有することで、上部フレーム及び中間フレームの複数のフレームに分けられて、原稿搬送路が上流側と下流側でそれぞれ開放されるようになり、原稿のジャム処理や清掃処理が容易に行うことができるようになる。また、原稿搬送装置全体を回動することがないので、回動動作に伴って発生する搬送ローラの位置ずれを減少させることができる。特に、中間フレームは、搬送ローラの回転軸を中心に回動可能に取り付けられているので、中間フレームの回動に伴って生じる搬送ローラの位置ずれを防止することができる。また、中間フレームは、複数設けてもよく、中間部領域にある搬送ローラ又はガイドを分担して装着するようにすれば、搬送手段への影響をより小さくすることができる。
【００１３】
そして、中間フレームに読取手段を装着しておき、中間フレームの回動動作により読取手段がプラテンから離間するようにすれば、読取手段の清掃処理を容易に行うことができる。また、上部フレームに押圧部材を設けて、閉鎖状態で中間フレームを押圧することで、中間フレームをがたつくことなく固定することができ、さらに、読取手段をプラテンに押圧して両者の間を所定の間隔に位置決めすることもできる。
【００１４】
【発明の実施の形態】
以下、本発明に係る実施形態について詳しく説明する。図１は、本発明に係る画像読取装置を適用可能な画像形成装置全体の概略断面図を示している。画像形成装置の上部には原稿搬送部１及び原稿を読み取る原稿読取部２が配置され、その下部に画像を記録する記録部３、画像を記録する用紙を搬送する用紙搬送部４及び２つの給紙部５、６が配されている。
【００１５】
原稿搬送部１では、原稿トレイ１０、ピックアップローラ１１、セパレートローラ１２及びリタードローラ１３により原稿が搬入される。すなわち、原稿トレイ１０に載置された原稿がピックアップローラ１１により引き込まれ、セパレートローラ１２及びリタードローラ１３の間に原稿の先端が挟持される。セパレートローラ１２は時計回りに回転して原稿を引き込むように動作するが、リタードローラ１３も時計回りに回転して原稿を引き込まないように動作するため、原稿の二重送りが防止されて原稿が１枚ずつ搬入される。次に、原稿は、フィードローラ１４及びプレスローラ１５に挟持されて搬送され、ガイドに沿ってフィードローラ１６及びプレスローラ１７の間に原稿の先端が到達する。ここで、原稿検知センサにより原稿の先端が検知されると、フィードローラ１６が搬送を開始し、フィードローラ１８及びプレスローラ１９の間に原稿の先端が挟持されて一定速度で原稿は搬送される。その間にプラテン２３において原稿読取部２により原稿が読み取られる。こうして搬送されて読み取られた原稿は、排出ローラ２１及びプレスローラ２０の間に搬送されて原稿排出トレイ２２に搬出される。
【００１６】
以上のように、原稿トレイ１０から始まる原稿搬送路は、リタードローラ１３、フィードローラ１４、フィードローラ１６、フィードローラ１８及び排出ローラ２１とそれに対向するローラ群によりＵ字状に湾曲して形成されて原稿排出トレイ２２へ続いている。
【００１７】
原稿読取部２では、ランプ２４によりプラテン２３に向けて光を照射して原稿からの反射光をミラーでＣＣＤ２５に導き電気信号に変換される。
【００１８】
記録部３では、用紙搬送部４により搬送された用紙に記録するために、トナー容器２６、帯電ブラシ２９、感光体ドラム３０、転写ローラ３１、露光ヘッド３２及び定着ローラ３３が備えられている。まず、感光体ドラム３０の表面を帯電ブラシ２９により一様に帯電させ、帯電された感光体ドラム３０に露光ヘッド３２で画像記録信号に応じて露光することで静電潜像を形成する。次に、トナー容器２６内のトナーを供給ローラ２７から現像ローラ２８を介して感光体ドラム３０に形成された静電潜像に転移させて可視像化し、転写ローラ３１により感光体ドラム３０表面に形成されたトナー像を用紙に転写する。そして、転写されたトナー像は、定着ローラ３３及びプレスローラ３４によって挟持されて加熱・プレスされ用紙に定着される。
【００１９】
用紙搬送部４では、各給紙部５及び６の給紙カセット４３内に積載された用紙がピックアップローラ３５によって引き込まれ、フィードローラ３６及びプレスローラ３７の間に挟持されて搬送される。搬送された用紙は用紙ガイドに沿って搬送され、フィードローラ３８及びプレスローラ３９の間に挟持されて記録部３に搬送される。記録部３に搬送された用紙は、上述したように転写ローラ３１及び感光体ドラム３２の間を搬送されてトナー像が転写され、定着ローラ３３及びプレスローラ３４の間に挟持されてトナー像が定着されて、排出ローラ４０及びプレスローラ４１の間に挟持されて用紙排出トレイ４２に搬出される。
【００２０】
図２は、本発明を原稿搬送部１に適用した実施形態の概略断面図を示している。この実施形態では、上部カバー５０の内面に取り付けられた上部フレーム５１と、湾曲した原稿搬送路に囲まれた中間部領域に第１中間フレーム５４及び第２中間フレーム５８が配設されている。図では、各フレームは、一点鎖線で示している。
【００２１】
上部フレーム５１には、原稿搬送路の上部領域に配置されたピックアップローラ１１、セパレートローラ１２、プレスローラ１５が支持されると共に、ガイド６１及び６３が取り付けられている。そして、下部の左下隅部に設けられた回転軸５２に回転自在に基部フレーム取り付けられている。また、上部フレーム５１の右下部には、第１中間フレーム５４の上面を押圧する押圧部材５３が設けられている。
【００２２】
第１中間フレーム５４には、排出ローラ２１、リタードローラ１３及びＣＩＳ５６が支持されると共に、ガイド６４が取り付けられている。そして、フィードローラ１４の回転軸５５に回転自在に取り付けられている。第２中間フレーム５８には、ガイド６５が取り付けられており、フィードローラ１８の回転軸５９に回転自在に取り付けられている。第１中間フレーム５４は、フィードローラ１４の回転軸５５に回転自在に取り付けられるので、回転軸５５から駆動力を伝達する図示しないギア群を第１中間フレーム５４に設けることでリタードローラ１３及び排出ローラ２１への駆動力の伝達を行うことができ、第１中間フレーム５４の開閉動作に伴うギアの離接がない駆動機構となる。したがって、開閉動作に伴って生じるギアの衝突といった問題は避けることができる。
【００２３】
基部フレームには、フィードローラ１４、１６及び１８、プレスローラ１７及び１９、プレスローラ２０、白色ローラ５７が取り付けられている。なお、白色ローラ５７は、ＣＩＳ５６に対向して配置されており、シェーディング補正やＣＩＳ５６との間の間隔調整を行うためのものである。この例ではローラであるが、白色プレートでもかまわない。
【００２４】
図３は、上部フレーム５１、第１中間フレーム５４及び第２中間フレーム５８を開いた状態を示している。図に示すように、上部フレーム５１を回転軸５２を中心に反時計回りに回転することで、原稿搬送路の上流側が開放されて、湾曲した原稿搬送路に原稿が詰まった場合等にジャム処理を容易に行うことができる。次に、第１中間フレーム５４を回転軸５５を中心に反時計回りに回転することで、原稿搬送路の下流側が開放されてこの部分のジャム処理を容易に行うことができると共に、ＣＩＳ５６が白色ローラ５７から離間するので、ＣＩＳ５６の読取面に付着した紙粉等の清掃処理を簡単に行うことが可能となる。そして、第２中間フレーム５８を回転軸５９を中心に時計回りに回転することで、原稿読取部２のプラテン２３付近を開放して、ジャム処理や読取部分の清掃処理を容易に行うことができる。
【００２５】
図３の状態から各フレームを装着する場合には、第２中間フレーム５８を反時計回りに回転し、図示されない基部フレームの係止部に係止される。次に、第１中間フレーム５４を時計回りに回転して排出ローラ２１がプレスローラ２０に当接してセットされる。そして、上部フレーム５１を時計回りに回転して図示されない係合部が基部フレームのピンに係合してロックされる。その際押圧部材５３が第１中間フレーム５４を押圧して第１中間フレーム５４がロックされるとともに、ＣＩＳ５６及び白色ローラ５７が所定間隔を空けて圧接される。この場合、ＣＩＳ５６及び白色ローラ５７は、直接圧接される関係になるように設定してもよい。
【００２６】
図４には、別の実施形態の概略断面図を示している。上部フレーム５１は、上記実施形態と同様であるが、第１中間フレーム５４に支持されていたＣＩＳ５６は、第２中間フレーム５８に支持されている。それに伴い、白色ローラ５７は、基部フレームに支持されている。そして、第１中間フレーム５４の左下部に押圧部材６６が設けられ、第２中間フレーム５８の上面を押圧する。
【００２７】
図５には、図４に示した実施形態について、上部フレーム５１、第１中間フレーム５４及び第２中間フレーム５８を開いた状態を示している。図３と同様に、各フレームを回転軸を中心に回転して原稿搬送路の上流側及び下流側を開放することができ、ジャム処理や読取部分の清掃処理を容易に行うことができる。そして、各フレームを装着した場合には、上部フレーム５１が基部フレームのピンに係合部が係合してロックされると、上部フレーム５１の右下部に設けられた押圧部材５３が第１中間フレーム５４の上面を押圧する。そのため、第１中間フレーム５４の左下部に設けられた押圧部材６６が第２中間フレーム５８の上面を押圧して、ＣＩＳ５６及び白色ローラ５７が所定間隔を空けて圧接される。この場合、ＣＩＳ５６及び白色ローラ５７は、直接圧接される関係になるように設定してもよい。
【００２８】
【発明の効果】
以上に説明したとおり、本発明は、上部フレーム及び中間フレームの複数のフレームに分けられて、原稿搬送路が上流側と下流側でそれぞれ開放されるようになり、原稿のジャム処理や清掃処理が容易に行うことができるようになる。また、原稿搬送装置全体を回動することがないので、回動動作に伴って発生する搬送ローラの位置ずれを減少させることができる。特に、中間フレームは、搬送ローラの回転軸を中心に回動可能に取り付けられているので、中間フレームの回動に伴って生じる搬送ローラの位置ずれを防止することができる。また、中間フレームは、複数設けてもよく、中間部領域にある搬送ローラ又はガイドを分担して装着するようにすれば、搬送手段への影響をより小さくすることができる。
【００２９】
そして、中間フレームに読取手段を装着しておき、中間フレームの回動動作により読取手段がプラテンから離間するようにすれば、読取手段の清掃処理を容易に行うことができる。また、上部フレームに押圧部材を設けて、閉鎖状態で中間フレームを押圧することで、中間フレームをがたつくことなく固定することができ、さらに、読取手段をプラテンに押圧して両者の間を所定の間隔に位置決めすることもできる。
【図面の簡単な説明】
【図１】本発明に係る実施形態を適用可能な画像形成装置全体の概略断面図である。
【図２】本発明に係る実施形態の概略断面図である。
【図３】図２の実施形態の各フレームを開いたときの概略断面図である。
【図４】本発明に係る別の実施形態の概略断面図である。
【図５】図４の実施形態の各フレームを開いたときの概略断面図である。
【符号の説明】
１　　原稿搬送部
２　　原稿読取部
３　　記録部
４　　用紙搬送部
５　　給紙部
６　　給紙部
１１　　ピックアップローラ
１２　　フィードローラ
１３　　リタードローラ
１４　　フィードローラ
１５　　プレスローラ
１６　　フィードローラ
１７　　プレスローラ
１８　　フィードローラ
１９　　プレスローラ
２０　　プレスローラ
２１　　排出ローラ
２３　　プラテン
２４　　ランプ
２５　　ＣＣＤ
５０　　上部カバー
５１　　上部フレーム
５２　　回転軸
５３　　押圧部材
５４　　第１中間フレーム
５５　　回転軸
５６　　ＣＩＳ
５７　　白色ローラ
５８　　第２中間フレーム
５９　　回転軸
６０　　ガイド
６１　　ガイド
６２　　ガイド
６３　　ガイド
６４　　ガイド
６５　　ガイド
６６　　押圧部材
【図１】
2004099240.tif 000003
【図２】
2004099240.tif 000004
【図３】
2004099240.tif 000005
【図４】
2004099240.tif 000006
【図５】
2004099240.tif 000007